(57)【要約】【課題】  検査オーダに基づく撮影プロトコルを撮影実行時に変更したい場合であっても、容易に対処できるようにした技術を提供する。【解決手段】  複数の撮影プロトコルを含む検査オーダに基づいて撮影を行なう放射線撮影システムであって、検査オーダ内から操作者の指示に基づいて置換元の撮影プロトコルを指定する置換元指定手段と、置換元指定手段により指定された撮影プロトコルに付帯する情報に基づいて置換先の撮影プロトコルを指定する置換先指定手段と、置換元指定手段により指定された撮影プロトコルを置換先指定手段により指定された撮影プロトコルに置換する置換手段とを具備する。【選択図】  図１
2013215273.tif 000002
【特許請求の範囲】
【請求項１】
複数の撮影プロトコルを含む検査オーダに基づいて撮影を行なう放射線撮影システムであって、
前記撮影プロトコルに基づいて、放射線発生部から被写体に向けて放射線を照射するとともに該被写体を透過した放射線を放射線検出部で検出することにより前記撮影を行なう撮影手段と、
前記撮影手段による撮影時に用いられた前記撮影プロトコルに基づいて、該撮影された画像に対して画像処理を実施する画像処理手段と、
前記検査オーダ内から操作者の指示に基づいて置換元の撮影プロトコルを指定する置換元指定手段と、
前記置換元指定手段により指定された撮影プロトコルに付帯する情報に基づき得られる複数の置換先の撮影プロトコルの中から１つの撮影プロトコルを指定する置換先指定手段と、
前記置換元指定手段により指定された撮影プロトコルを前記置換先指定手段により指定された撮影プロトコルに置換する置換手段とを具備する
ことを特徴とする放射線撮影システム。
【請求項２】
前記置換先指定手段は、
前記置換元指定手段により指定された撮影プロトコルに付帯する情報に基づいて置換先撮影プロトコルの候補を抽出する抽出手段と、
前記抽出手段により抽出された撮影プロトコルを所望する条件で一覧表示する表示手段と、
前記表示手段により表示された撮影プロトコル一覧から操作者の指示に基づいて置換先のプロトコルを指定する
ことを特徴とする請求項１記載の放射線撮影システム。
【請求項３】
前記抽出手段は、
前記置換元指定手段により指定された撮影プロトコルが未撮影であれば前記放射線撮影システムに登録されている全ての撮影プロトコルを置換先プロトコルの候補として抽出し、
前記置換元指定手段により指定された撮影プロトコルが撮影済みであれば前記放射線撮影システムに登録されている撮影プロトコルの内前記置換元指定手段により指定された撮影プロトコルと同一の撮影環境情報と関連付けられている撮影プロトコルのみ置換先プロトコルの候補として抽出する
ことを特徴とする請求項２記載の放射線撮影システム。
【請求項４】
前記表示手段は、
前記置換元指定手段により指定された撮影プロトコルの近傍の撮影部位の置換先プロトコルの候補を優先的に表示する
ことを特徴とする請求項２記載の放射線撮影システム。
【請求項５】
前記表示手段は、
前記放射線撮影システムで予め指定した撮影プロトコルを優先的に表示する
ことを特徴とする請求項２記載の放射線撮影システム。
【請求項６】
前記表示手段は、
一覧表示している置換先撮影プロトコルの候補の内前記置換元指定手段により指定された撮影プロトコルと操作者の指示に基づいて指定された置換先撮影プロトコルを強調表示する
ことを特徴とする請求項２記載の放射線撮影システム。
【請求項７】
前記置換先指定手段は、
前記置換元指定手段により指定された撮影プロトコルに付帯する情報に基づいて特定の撮影プロトコルを置換先撮影プロトコルとして自動的に指定する特定置換先自動指定手段を具備する
ことを特徴とする請求項１記載の放射線撮影システム。
【請求項８】
前記撮影プロトコルは、
前記撮影プロトコル自身に関連付けられている撮影環境情報と同一の撮影環境情報を関連付けられている特定置換先撮影プロトコルの情報を含み、
前記特定置換先指定手段は、
前記置換元指定手段により指定された撮影プロトコルに関連付けられている特定置換先撮影プロトコルを置換先撮影プロトコルとして自動的に指定する
ことを特徴とする請求項７記載の放射線撮影システム。
【請求項９】
前記特定置換先自動指定手段は、
前記置換元指定手段により指定された撮影プロトコルの撮影部位が胸部正面であれば前記置換元指定手段により指定された撮影プロトコルと同一の撮影環境情報を関連付けられているじん肺用撮影プロトコルを置換先撮影プロトコルとして自動的に指定し、
前記置換元指定手段により指定された撮影プロトコルがじん肺用撮影プロトコルであれば前記置換元指定手段により指定された撮影プロトコルと同一の撮影環境情報を関連付けられている撮影部位が胸部正面の撮影プロトコルを置換先撮影プロトコルとして自動的に指定する
ことを特徴とする請求項１乃至８のいずれか１項に記載の放射線撮影システム。
【請求項１０】
前記変更に応じて前記撮影情報に関連付けられた放射線画像を前記変更後の撮影部位に基づき処理する画像処理手段と、
を有することを特徴とする請求項１乃至９のいずれか１項に記載の放射線撮影システム。
【請求項１１】
前記撮影プロトコルは、
前記放射線発生部の情報、前記画像処理手段による画像処理の情報、前記撮影環境情報、撮影部位、の少なくともいずれかの情報を含む
ことを特徴とする請求項１から１０いずれか１項に記載の放射線撮影システム。
【請求項１２】
前記撮影環境情報は、
前記放射線検出部の情報、撮影姿勢情報、の少なくともいずれかの情報を含む
ことを特徴とする請求項１から１０いずれか１項に記載の放射線撮影システム。
【請求項１３】
放射線撮影情報を変更する放射線撮影の制御装置であって、
撮影予定の放射線撮影情報と撮影された放射線画像が関連付けられた撮影情報と含む複数の撮影情報のうち少なくとも１つを指定する指定手段と、
前記撮影情報に含まれる撮影部位について、前記選択された撮影情報が撮影予定の放射線撮影情報であるか、撮影された放射線画像が関連付けられた撮影情報であるかに応じた修正候補を表示させる表示制御手段と、
前記表示された修正候補のうち少なくとも１つを選択する指示に応じて、前記撮影情報に含まれる撮影部位の情報を前記選択された修正候補へと変更する変更手段と、
前記変更に応じて前記撮影情報に関連付けられた放射線画像を前記変更後の撮影部位に基づき処理する画像処理手段と、
を有することを特徴とする制御装置。
【請求項１４】
複数の撮影プロトコルを含む検査オーダに基づいて撮影を行なう放射線撮影システムの制御方法であって、
前記撮影プロトコルに基づいて、放射線発生部から被写体に向けて放射線を照射するとともに該被写体を透過した放射線を放射線検出部で検出することにより前記撮影を行なうステップと、
前記撮影手段による撮影時に用いられた前記撮影プロトコルに基づいて、該撮影された画像に対して画像処理するステップと、
前記検査オーダ内から操作者の指示に基づいて置換元の撮影プロトコルを指定するステップと、
前記置換元指定手段により指定された撮影プロトコルに付帯する情報に基づき得られる複数の置換先の撮影プロトコルの中から１つの撮影プロトコルを指定するステップと、
前記置換元指定手段により指定された撮影プロトコルを前記置換先指定手段により指定された撮影プロトコルに置換するステップと、
を有することを特徴とする制御方法。
【請求項１５】
放射線撮影情報を変更する放射線撮影の制御方法であって、
撮影予定の放射線撮影情報と撮影された放射線画像が関連付けられた撮影情報と含む複数の撮影情報のうち少なくとも１つを指定するステップと、
前記撮影情報に含まれる撮影部位について、前記選択された撮影情報が撮影予定の放射線撮影情報であるか、撮影された放射線画像が関連付けられた撮影情報であるかに応じた修正候補を表示させるステップと、
前記表示された修正候補のうち少なくとも１つを選択する指示に応じて、前記撮影情報に含まれる撮影部位の情報を前記選択された修正候補へと変更するステップと、
前記変更に応じて前記撮影情報に関連付けられた放射線画像を前記変更後の撮影部位に基づき処理するステップと、
を有することを特徴とする制御方法。
【発明の詳細な説明】
【技術分野】
【０００１】
本発明は、放射線撮影システム及びその処理方法に関する。
【背景技術】
【０００２】
放射線（例えば、Ｘ線）を用いた撮影に基づく診断や検査が盛んに行なわれている。
このような検査等は、複数の撮影プロトコルを含む検査オーダに基づいて進行する。
ここで、撮影プロトコルは、例えば、放射線技師等により検査オーダに従って手動で作成され、医師により要求された撮影部位や撮影方法、画像処理の情報等を含む。
ＨＩＳ（Ｈｏｓｐｉｔａｌ  Ｉｎｆｏｒｍａｔｉｏｎ  Ｓｙｓｔｅｍ）やＲＩＳ（Ｒａｄｉｏｌｏｇｙ  Ｉｎｆｏｒｍａｔｉｏｎ  Ｓｙｓｔｅｍ）等を用いた病院内のオンライン化が進んでいる。
これに伴って、外部で作成された検査オーダを、ネットワークを介して放射線撮影装置へ転送する場合がある。
この場合、操作者は、放射線撮影装置の表示部に表示された検査オーダから撮影プロトコルを選択する。
すると、当該撮影プロトコルに基づいたパラメータが設定され、当該パラメータに基づいた撮影が行なわれる。
ここで、誤った撮影プロトコルを選択し撮影を行なってしまった場合、パラメータが適切でないため、意図する撮影を行なうことができない。
また、検診においては胸部正面の撮影プロトコルの画像をじん肺用パラメータで処理したいケースがある。
これに対処するため、特許文献１、特許文献２の技術が知られている。
【先行技術文献】
【特許文献】
【０００３】
【特許文献１】特開２００９−２５４７９９号公報
【特許文献２】特開２０１１−５０５１８号公報
【発明の概要】
【発明が解決しようとする課題】
【０００４】
上述した特許文献１の技術では、既に撮影が済んだ撮影プロトコルを他の撮影プロトコルに変更することができる。
ところで撮影画像は放射線検出器の種類によって画像サイズや画像処理方法が異なる。
従って撮影済みの撮影プロトコルを他の撮影プロトコルに変更したい場合、変更先の撮影プロトコルは同じ放射線検出器の撮影プロトコルに限られる。
しかし特許文献１の技術は変更先として指定可能な撮影プロトコルに条件を設けていない。
そのため、複数の異なる種類の放射線検出器を運用している撮影環境においては、放射線撮影システムに登録されている撮影プロトコルの中から同じ検出器の撮影プロトコルを操作者が探さなければならず、操作が煩わしい。
また、上述の特許文献２の技術では撮影済みの撮影プロトコルから未撮影の撮影プロトコルへ画像を移動させることができる。
しかし特許文献２の技術では、撮影プロトコルの変更には未撮影の撮影プロトコルが検査オーダーに含まれていることが前提条件である。
従って検査オーダーに未撮影の撮影プロトコルが含まれていないときに撮影プロトコルを変更したい場合、未撮影の撮影プロトコルを追加し、撮影済みの撮影プロトコルから未撮影の撮影プロトコルへ画像を移動し、画像移動元の撮影プロトコルを削除する必要がある。
これら一連の作業を操作者が行わなくてはならず、操作が煩わしい。
そこで本発明は、上記課題に鑑みてなされたものであり、検査オーダに基づく撮影プロトコルを撮影実行時に変更したい場合であっても、容易に対処できるようにした技術を提供することを目的とする。
【課題を解決するための手段】
【０００５】
上記課題を解決するため、本発明の一態様は、複数の撮影プロトコルを含む検査オーダに基づいて撮影を行なう放射線撮影システムであって、前記撮影プロトコルに基づいて、放射線発生部から被写体に向けて放射線を照射するとともに該被写体を透過した放射線を放射線検出部で検出することにより前記撮影を行なう撮影手段と、前記撮影手段による撮影時に用いられた前記撮影プロトコルに基づいて、該撮影された画像に対して画像処理を実施する画像処理手段と、前記検査オーダ内から操作者の指示に基づいて置換元の撮影プロトコルを指定する置換元指定手段と、前記置換元指定手段により指定された撮影プロトコルに付帯する情報に基づいて置換先の撮影プロトコルを指定する置換先指定手段と、前記置換元指定手段により指定された撮影プロトコルを前記置換先指定手段により指定された撮影プロトコルに置換する置換手段とを具備することを特徴とする。
【発明の効果】
【０００６】
本発明によれば、検査オーダに基づく撮影プロトコルを撮影実行時に変更したい場合であっても、容易に対処できる。
これにより、検査オーダに基づく撮影プロトコルを撮影実行時に変更したい場合であっても、操作者に過度の負担をかけずに済む。
【図面の簡単な説明】
【０００７】
【図１】本発明の一実施の形態に係わる放射線撮影システムを適用したＸ線撮影システム１０１の一例を示す図。
【図２】実施形態１に係わるＸ線撮影制御部１１２の機能的な構成の一例を示す図。
【図３】実施形態１、実施形態２に係わる撮影プロトコル置換前の検査画面の一例を示す図。
【図４】実施形態１、実施形態２に係わる未撮影の撮影プロトコル置換後の検査画面の一例を示す図。
【図５】実施形態１、実施形態２に係わる撮影済みの撮影プロトコル置換後の検査画面の一例を示す図。
【図６】実施形態１に係わる未撮影の撮影プロトコルの置換先を指定する画面の一例を示す図。
【図７】実施形態１に係わる撮影済みの撮影プロトコルの置換先を指定する画面の一例を示す図。
【図８】本発明の一実施の形態に係わるＸ線撮影装置１０７での撮影動作の一例を示すフローチャート。
【図９】実施形態１に係わるＸ線撮影装置１０７での撮影プロトコル置換の動作の一例を示すフローチャート。
【図１０】実施形態２に係わるＸ線撮影制御部１１２の機能的な構成の一例を示す図。
【図１１】実施形態２に係わる未撮影の撮影プロトコルの置換先を指定する画面の一例を示す図。
【図１２】実施形態２に係わる撮影済みの撮影プロトコルの置換先を指定する画面の一例を示す図。
【図１３】実施形態２に係わるＸ線撮影装置１０７での撮影プロトコル置換の動作の一例を示すフローチャート。
【図１４】実施形態３に係わるＸ線撮影制御部１１２の機能的な構成の一例を示す図。
【図１５】実施形態３に係わる撮影プロトコル置換前の検査画面の一例を示す図。
【図１６】実施形態３に係わる撮影プロトコル置換後の検査画面の一例を示す図。
【図１７】実施形態３に係わるＸ線撮影装置１０７での撮影プロトコル置換の動作の一例を示すフローチャート。
【図１８】実施形態４に係わるＸ線撮影制御部１１２の機能的な構成の一例を示す図。
【図１９】実施形態４に係わる検査画面の一例を示す図。
【図２０】実施形態４に係わる検査画面の一例を示す図。
【図２１】実施形態４に係わるＸ線撮影装置１０７での撮影プロトコル置換の動作の一例を示すフローチャート。
【発明を実施するための形態】
【０００８】
以下、本発明に係わる放射線撮影システム及びその処理方法の一実施の形態について添付図面を参照して詳細に説明する。なお、以下に示す実施形態においては、放射線としてＸ線を適用した場合を例に挙げて説明するが、放射線は、Ｘ線に限られず、例えば、電磁波やα線、β線、γ線などであってもよい。
【０００９】
［実施形態１］
図１は、本発明の一実施の形態に係わる放射線撮影システムを適用したＸ線撮影システム１０１の一例を示す図である。
【００１０】
Ｘ線撮影システム１０１は、ＲＩＳ端末１０２と、ＰＡＣＳ端末１０３と、ビューワー端末１０４と、プリンタ１０５と、Ｘ線撮影装置１０７とを具備して構成される。これら装置は、例えば、ネットワーク等の通信手段１０６を介して接続されている。
【００１１】
ＲＩＳ端末１０２は、放射線部門内の情報システムである。Ｘ線撮影装置１０７は、Ｘ線デジタル画像（以下、撮影画像と呼ぶ）を撮影する。ＰＡＣＳ端末１０３は、Ｘ線撮影装置１０７により撮影された撮影画像を保存・管理する。ビューワー端末１０４及びプリンタ１０５は、診断用画像を出力（表示又は印刷）する。
【００１２】
Ｘ線撮影装置１０７は、複数の撮影プロトコルから構成される検査オーダに基づいて検査（撮影）を進行する。撮影プロトコル各々は、撮影条件や、撮影画像に対して実施する画像処理の内容等が規定される。より詳細には、撮影時や画像処理時等の各種パラメータ情報、撮影実施情報等が含まれ、さらに撮影環境情報（センサ種類、撮影姿勢）が対応付けられている。
【００１３】
ここで、Ｘ線撮影装置１０７は、撮影部１１５と、Ｘ線発生制御部１１１と、Ｘ線撮影制御部１１２と、表示部１１３と、操作部１１４とを具備して構成される。
【００１４】
撮影部１１５は、Ｘ線管球１０８と、センサユニット１０９と、センサ１１０とを具備して構成される。ここで、Ｘ線管球１０８は、放射線発生部として機能し、被写体（すなわち、被検者）に向けてＸ線を照射する。Ｘ線発生制御部１１１は、撮影プロトコルに基づくＸ線の発生を制御する。具体的には、撮影プロトコルに対応する撮影条件（例えば、管電流、管電圧、照射時間等のパラメータ）に基づいて、Ｘ線管球１０８に電圧を印加し、Ｘ線を発生させる。
【００１５】
センサ１１０は、放射線検出部として機能し、被検者を透過したＸ線を検出する。センサユニット１０９は、センサ１１０により検出された被検者の透過Ｘ線量に相当する電荷をＡ／Ｄ変換し、それを撮影画像としてＸ線撮影制御部１１２へ転送する。Ｘ線撮影制御部１１２は、撮影プロトコルに基づいたＸ線撮影処理を統括制御する。Ｘ線撮影制御部１１２は、例えば、撮影画像に対して画像処理（例えば、補正処理、階調処理、周波数処理等）を施す。画像処理は、撮影時の撮影プロトコルに対応する画像処理パラメータを用いて行なわれる。
【００１６】
表示部１１３は、例えば、ディスプレイ等で構成され、操作者に向けてシステム状態等を表示する。表示部１１３には、例えば、ＲＩＳ端末１０２から受信した検査オーダ（又は操作者が作成した検査オーダ）が表示される。操作部１１４は、例えば、キーボードやマウス、又は各種ボタン等で構成され、操作者からの指示を装置内に入力する。操作部１１４においては、例えば、置換元及び置換先の撮影プロトコルの指定を装置内に入力する。
【００１７】
ここで、図２を用いて、図１に示すＸ線撮影制御部１１２において実施形態１を実現するための機能構成の一例について説明する。
【００１８】
Ｘ線撮影制御部１１２は、検査情報管理部２０２と、検査情報保持部２０１と、置換元プロトコル入力部２０５と、置換先プロトコル入力部２０６と、プロトコル置換部２０９と、撮影制御部２１０と、画像処理部２１１とを具備して構成される。
【００１９】
画像処理部２１１は、撮影画像に対して画像処理を実施する。上述した通り、この画像処理は、撮影プロトコルに対応する画像処理パラメータを用いて行なわれる。
【００２０】
置換元プロトコル入力部２０５は、実行中の検査オーダに含まれる撮影プロトコルの中から置換対象（置換元）の撮影プロトコルを指定する。置換元プロトコル入力部２０５による指定は、操作部１１４を介した操作者からの指示に基づいて行なわれる。
【００２１】
置換先プロトコル入力部２０６は、プロトコル保持部２１２に保持されている撮影プロトコルの中から置換対象（置換先）の撮影プロトコルを指定する。置換先プロトコル入力部２０６は抽出部２０７と表示部２０８から構成される。置換先プロトコル入力部２０６が置換元プロトコル入力部２０５から置換元撮影プロトコルの情報を受け取ると、抽出部２０７は、置換元撮影プロトコルが未撮影であれば、プロトコル保持部２１２に保持されている全ての撮影プロトコルを置換候補対象として抽出し、置換元撮影プロトコルが撮影済みであれば、プロトコル保持部２１２に保持されている撮影プロトコルの中から置換元撮影プロトコルと同一の撮影環境情報（センサ、撮影姿勢）を有する撮影プロトコルのみを置換候補対象として抽出する。表示部２０８は抽出部２０７によって抽出された置換候補対象となる撮影プロトコルを表示する。表示部２０８は置換元撮影プロトコルの撮影部位に対して近傍部位となる撮影プロトコルを優先的に表示する。表示部２０８による表示は表示部１１３を介して行われる。置換先プロトコル入力部２０６による指定は、操作部１１４を介した操作者からの指示に基づいて行なわれる。
【００２２】
検査情報管理部２０２は、ＲＩＳ端末１０２から取得した（又は操作者が手動で作成した）検査オーダに基づいて、実行中の検査に関する各種情報を管理する。検査情報管理部１０２は、検査情報取得部２０３と、検査情報更新部２０４とを具備して構成される。検査情報取得部２０３は、実行中の検査情報を検査情報保持部２０１から取得し、検査情報更新部２０４は、検査情報保持部２０１に保持された検査情報を更新する。
【００２３】
プロトコル置換部２０９は、置換元プロトコル入力部２０５により指示された置換元撮影プロトコルを、置換先プロトコル入力部２０６により指示された置換先撮影プロトコルへ置き換える。置換元撮影プロトコルが撮影済みであった場合、置換元撮影プロトコルの撮影画像を置換先撮影プロトコルに対応付ける。これにより当該画像に対しては、置換先撮影プロトコルに対応する画像処理パラメータを用いた画像処理が、画像処理部２１１によって施されることになる。
【００２４】
撮影制御部２１０は、撮影プロトコルに基づいた撮影を制御する。例えば、プロトコル置換部２０９により撮影プロトコルが置換された場合には、当該置換後の撮影プロトコルに基づいた撮影の実行を制御する。
【００２５】
ここで図３、図４、図５は、撮影画面の一例を示している。図３は撮影プロトコル置換前の画面３０１を示し、図４は未撮影の撮影プロトコル置換後の画面４０１を示し、図５は撮影済みの撮影プロトコル置換後の画面５０１を示している。
【００２６】
図３、図４、図５には、被検者情報を表示する被検者情報表示領域３０２と、撮影画像を表示するプレビュー画像表示領域３０３と、プレビュー中の撮影画像の画像処理パラメータの調整を指示する画像調整ボタン３０４と、検査の終了を指示する検査終了ボタン３０５と、実行中の検査オーダの情報を示す検査オーダ表示領域３０６とが設けられている。検査オーダ表示領域３０６には、複数の撮影プロトコルボタン３０７が設けられている。
【００２７】
撮影プロトコルボタン３０７には、撮影画像のサムネイルを表示するサムネイル表示領域３０８と、撮影部位の名称を表示する名称表示領域３０９と、立位や臥位などのセンサタイプの情報を表示するセンサタイプ表示領域３１０と、センサ種類と撮影姿勢を表示する撮影環境情報表示領域３１３が設けられている。また、撮影プロトコルボタン３０７は、撮影済み状態（プレビュー中）、撮影準備中状態、撮影可能状態等の状態も示す。
【００２８】
その他、図３、図４、図５示す画面には、実行中の撮影プロトコルに関するセンサの状態を示すセンサ状態表示領域３１１も設けられる。なお、図３、図４、図５に示す画面では、文字により状態が示されているが、例えば、ボタンの色を変えたり、アニメーション表示を行なったりするなど、ＧＵＩで状態を示すようにしてもよい。
【００２９】
ここで図６、図７は、置換先撮影プロトコル指定画面の一例を示している。図６は未撮影の撮影プロトコルを置換する場合の置換先撮影プロトコル指定画面６０１を示し、図７は撮影済みの撮影プロトコルを置換する場合の置換先撮影プロトコル指定画面７０１を示している。
【００３０】
図６、図７には、置換元撮影プロトコル表示領域６０２と、置換先撮影プロトコル表示領域６０３と、撮影プロトコルの置換を取り止める取り止めボタン６０４と、撮影プロトコルの置換を確定する確定ボタン６０５と、置換先撮影プロトコル候補表示領域６０６とが設けられている。置換先撮影プロトコル候補表示領域６０６には、複数の撮影プロトコルボタン６０７が設けられている。
【００３１】
撮影プロトコルボタン６０７には、撮影部位の名称を表示する名称表示領域６０８と、撮影環境情報表示領域６０９とが設けられている。
【００３２】
ここで、実施形態１に係わる処理の流れの一例について具体例を挙げる。
【００３３】
図８を用いて検査開始から終了までの一連の流れを説明する。まずステップＳ８０１においてＲＩＳ端末１０２から取得した（又は操作者が手動で作成した）検査オーダを検査情報管理部２０２が取得し、ステップＳ８０２において検査が開始され、表示部１１３には検査画面３０１または５０１が表示される。撮影前、即ちステップＳ８０３の時点で操作者（例えば、放射線技師）が検査オーダに誤った撮影プロトコルが含まれていることを発見するなど、撮影プロトコルの置換が必要になった場合はステップＳ８０４へ進み、撮影プロトコルの置換操作及び処理を行う。撮影プロトコルの置換が必要ない場合はステップＳ８０５へ進む。ステップＳ８０５において、操作者は照射ボタンを押下する。すると、Ｘ線撮影装置１１５は、Ｘ線管球１０８において被写体に向けてＸ線を照射するとともに、センサ１１０において当該被写体を透過したＸ線を検出する。この結果得られた撮影画像は、Ｘ線撮影制御部１１２において補正処理や階調処理、周波数処理等の画像処理が施される。その後、ステップＳ８０６にて当該処理された撮影画像が表示部１１３に表示されると、操作者は当該画像の確認を行なう。確認の結果、操作者が撮影プロトコルの間違いに気付くなど、撮影プロトコルの置換が必要になった場合はステップＳ８０７へ進み、撮影プロトコルの置換操作及び処理を行う。撮影プロトコルの置換が必要ない場合はステップＳ８０８へ進む。ステップＳ８０８において操作者は操作部１１４の操作を介して検査終了ボタン３０５を押下し、検査終了する。
【００３４】
次に図９を用いて、図８のステップＳ８０４またはＳ８０７において未撮影の撮影プロトコルを置換する処理の流れを説明する。検査オーダに含まれる未撮影の撮影プロトコル置換する必要があるとする。例えばステップＳ８０３（Ｓ８０６）において未撮影の撮影プロトコル３１２の撮影部位が「胸部Ｒ→Ｌ」が「胸部Ａ→Ｐ」の誤りであったことに操作者が気付いたとする。操作者は撮影プロトコルを置換する必要があると判断し、ステップＳ８０４（Ｓ８０７）へ進んで撮影プロトコルの置換操作を行う。ステップＳ８０４（Ｓ８０７）内の具体的な処理の流れを図９に示す。ステップＳ９０１において、操作者は操作部１１４の操作を介して、未撮影の撮影プロトコル３１２を置換元撮影プロトコルとして指定する。すると置換元プロトコル入力部２０５に未撮影の撮影プロトコル３１２の情報が入力される。ステップＳ９０２において、抽出部２０７は置換元プロトコル入力部２０５の入力情報を受けて、置換元撮影プロトコルが未撮影であるか撮影済みであるかを判断する。置換元プロトコル入力部２０５に入力されている撮影プロトコル３１２は未撮影であるためステップＳ９０３へ進み、抽出部２０７はプロトコル情報保持部２１２に保持されている全ての撮影プロトコルを置換先撮影プロトコルの候補として抽出し、ステップＳ９０５へ進む。ステップＳ９０５において、表示部２０８は抽出部２０７により抽出された撮影プロトコルを表示部１１３を介して表示する。具体的には表示部１１３に未撮影の置換先撮影プロトコル指定画面６０１を表示し、さらに置換先撮影プロトコル候補表示領域６０６に抽出部２０７により抽出された撮影プロトコルを表示する。このとき置換元撮影プロトコルの撮影部位が胸部であるため、表示部２０８は置換先撮影プロトコル候補表示領域６０６に胸部近傍の撮影部位が関連付けられている撮影プロトコルを優先的に表示するよう制御する。一例として図６に示すように、操作者にとって選択しやすいよう置換先撮影プロトコル候補表示領域６０６の上部に撮影部位が胸部である撮影プロトコルを表示している。ところでステップＳ９０１において入力された置換元撮影プロトコルは３１２であり、その撮影環境情報は３１４に示されるように「センサＡ、Ｓｔａｎｄ」である。一方図６の６１０は撮影環境情報が「センサＢ、Ｓｔａｎｄ」の撮影プロトコルボタンであり、６１１は撮影環境情報が「センサＡ、Ｔａｂｌｅ」の撮影プロトコルボタンである。このことからステップＳ９０３において抽出部２０７で抽出された置換先撮影プロトコルの候補が、置換元撮影プロトコル３１２の撮影環境情報「センサＡ、Ｓｔａｎｄ」に関係なくプロトコル情報保持部２１２に保持されている全ての撮影プロトコルであることを示している。ここで表示部２０８は、Ｓ９０１において入力された置換元撮影プロトコル３１２の情報を、置換元撮影プロトコル表示領域６０２に表示し、さらに置換元撮影プロトコルと同一の撮影プロトコルボタン６１２を強調表示する。次にステップＳ９０６へ進む。ステップＳ９０６では操作者は操作部１１４の操作を介して、所望の置換先撮影プロトコル６１３を置換先撮影プロトコルとして指定する。ここで表示部２０８は、指定された置換先撮影プロトコル６１３の情報を、置換先撮影プロトコル表示領域６０３に表示し、さらに置換先撮影プロトコル６１３を強調表示する。次にステップＳ９０７へ進む。ステップＳ９０７において撮影プロトコルの置換を取り止める場合は、操作者は操作部１１４の操作を介して取り止めボタン６０４を押下することにより撮影プロトコルの置換を取り止め、検査画面３０１に戻ることができる。撮影プロトコルの置換を確定する場合は、操作者は操作部１１４の操作を介して確定ボタン６０５を押下する。確定ボタン６０５の操作により置換先プロトコル入力部２０６に置換先撮影プロトコル６１３が入力される。このときプロトコル置換部２０９は置換元プロトコル入力部２０５と置換先プロトコル入力部２０６から置換元と置換先の撮影プロトコルの情報を受け取る。さらにプロトコル置換部２０９は、検査情報取得部２０３を介して検査情報保持部２０１より検査情報を取得する。プロトコル置換部２０９は、取得した検査情報に含まれる撮影プロトコルにおいて、置換元撮影プロトコルを置換先撮影プロトコルに置換する。その後プロトコル置換部２０９は検査情報更新部２０４を介して検査情報保持部２０１に保持されている検査情報を更新する。なお、仮に置換元撮影プロトコルが撮影準備状態にあった場合、プロトコル置換部２０９は置換先撮影プロトコルの情報を撮影制御部２１０へ渡し、撮影制御部２１０は受け取った置換先撮影プロトコルの情報に基づき撮影準備制御を行う。次に表示部１１３は検査画面４０１へ表示を切り替える。置換元撮影プロトコル３１２は図４の４０２に示すように、ステップＳ９０６で指定した置換先撮影プロトコル６１３に置換されている。以上により実施形態１では未撮影の撮影プロトコルを置換することができる。
【００３５】
続いて同じく図９を用いて、図８のステップＳ８０４またはＳ８０７において撮影済みの撮影プロトコルを置換する処理の流れを説明する。検査オーダに含まれる撮影済みの撮影プロトコル置換する必要があるとする。例えばステップＳ８０３（Ｓ８０６）において撮影済みの撮影プロトコル３１５の撮影部位が「胸部Ａ→Ｐ」が「胸部Ｒ→Ｌ」の誤りであったことに操作者が気付いたとする。操作者は撮影プロトコルを置換する必要があると判断し、ステップＳ８０４（Ｓ８０７）へ進んで撮影プロトコルの置換操作を行う。ステップＳ８０４（Ｓ８０７）内の具体的な処理の流れを図９に示す。ステップＳ９０１において、操作者は操作部１１４の操作を介して、撮影済みの撮影プロトコル３１５を置換元撮影プロトコルとして指定する。すると置換元プロトコル入力部２０５に撮影済みの撮影プロトコル３１２の情報が入力される。ステップＳ９０２において、抽出部２０７は置換元プロトコル入力部２０５の入力情報を受けて、置換元撮影プロトコルが未撮影であるか撮影済みであるかを判断する。置換元プロトコル入力部２０５に入力されている撮影プロトコル３１５は撮影済みであるためステップＳ９０４へ進み、抽出部２０７はプロトコル情報保持部２１２に保持されている撮影プロトコルの内、置換元撮影プロトコルと同じ撮影環境情報を有する撮影プロトコルのみ置換先撮影プロトコルの候補として抽出する。即ち、ここでは置換元撮影プロトコルとしてステップＳ９０１にて撮影プロトコル３１５が指定されており、撮影プロトコル３１５の撮影環境情報は３１６に示すように「センサＡ、Ｓｔａｎｄ」であるため、プロトコル情報保持部２１２に保持されている撮影プロトコルの内、抽出部２０７は撮影環境情報が「センサＡ、Ｓｔａｎｄ」である撮影プロトコルのみ抽出する。次にステップＳ９０５へ進む。ステップＳ９０５において、表示部２０８は抽出部２０７により抽出された撮影プロトコルを表示部１１３を介して表示する。具体的には表示部１１３に撮影済みの置換先撮影プロトコル指定画面７０１を表示し、さらに置換先撮影プロトコル候補表示領域６０６に抽出部２０７により抽出された撮影プロトコルを表示する。このとき置換元撮影プロトコルの撮影部位が胸部であるため、表示部２０８は置換先撮影プロトコル候補表示領域６０６に胸部近傍の撮影部位が関連付けられている撮影プロトコルを優先的に表示するよう制御する。一例として図７に示すように、操作者にとって選択しやすいよう置換先撮影プロトコル候補表示領域６０６の上部に撮影部位が胸部である撮影プロトコルを表示している。ところでステップＳ９０１において入力された置換元撮影プロトコルは３１５であり、その撮影環境情報は３１６に示されるように「センサＡ、Ｓｔａｎｄ」である。７０２に示すように置換先撮影プロトコル候補表示領域６０６に表示されている撮影プロトコルの撮影環境情報は全て「センサＡ、Ｓｔａｎｄ」である。このことから置換元撮影プロトコル３１５と同じ撮影環境情報「センサＡ、Ｓｔａｎｄ」の撮影プロトコルのみ、ステップＳ９０４において抽出部２０７で置換先撮影プロトコルの候補として抽出されたことを示している。ここで表示部２０８は、Ｓ９０１において入力された置換元撮影プロトコル３１５の情報を、置換元撮影プロトコル表示領域６０２に表示し、さらに置換元撮影プロトコルと同一の撮影プロトコルボタン７０３を強調表示する。次にステップＳ９０６へ進む。ステップＳ９０６では操作者は操作部１１４の操作を介して、所望の置換先撮影プロトコル７０４を置換先撮影プロトコルとして指定する。ここで表示部２０８は、指定された置換先撮影プロトコル７０４の情報を、置換先撮影プロトコル表示領域６０３に表示し、さらに置換先撮影プロトコル７０４を強調表示する。次にステップＳ９０７へ進む。ステップＳ９０７において撮影プロトコルの置換を取り止める場合は、操作者は操作部１１４の操作を介して取り止めボタン６０４を押下することにより撮影プロトコルの置換を取り止め、検査画面３０１に戻ることができる。撮影プロトコルの置換を確定する場合は、操作者は操作部１１４の操作を介して確定ボタン６０５を押下する。確定ボタン６０５の操作により置換先プロトコル入力部２０６に置換先撮影プロトコル７０４が入力される。このときプロトコル置換部２０９は置換元プロトコル入力部２０５と置換先プロトコル入力部２０６から置換元と置換先の撮影プロトコルの情報を受け取る。さらにプロトコル置換部２０９は、検査情報取得部２０３を介して検査情報保持部２０１より検査情報を取得する。プロトコル置換部２０９は、取得した検査情報に含まれる撮影プロトコルにおいて、置換元撮影プロトコルを置換先撮影プロトコルに置換する。このとき同時に置換元撮影プロトコルの撮影画像は置換先撮影プロトコルに対応付けられる。その後プロトコル置換部２０９は検査情報更新部２０４を介して検査情報保持部２０１に保持されている検査情報を更新する。プロトコル置換部２０９は置換先撮影プロトコルの情報を画像処理部２１１へ渡し、画像処理部２１１は置換元撮影プロトコルで撮影された画像（画像処理前の画像）に対し、置換先撮影プロトコルに対応付けられている画像処理パラメータを用いて画像処理を再実行する。次に表示部１１３は検査画面５０１へ表示を切り替える。置換元撮影プロトコル３１５は図５の５０２に示すように、ステップＳ９０６で指定した置換先撮影プロトコル７０４に置換されている。さらにプレビュー画像表示領域３０３とサムネイル表示領域５０３に、画像処理部２１１にて画像処理を再実行された撮影画像を表示する。以上により実施形態１では撮影済みの撮影プロトコルを置換することができる。
【００３６】
以上説明したように実施形態１によれば、検査オーダに基づく撮影の実行時に誤った撮影プロトコルを別の撮影プロトコルへ置換したい場合でも、容易に対処することができる。さらに近傍撮影部位の撮影プロトコルへ置換したい操作者にとって、近傍撮影部位の撮影プロトコルが優先的に表示されるため、置換先の指定が容易になる。また、撮影済みの撮影プロトコルを置換したい場合は、置換可能な撮影プロトコルが置換元の撮影プロトコルと同じ撮影環境情報に限定されるが、置換先撮影プロトコルの候補として同じ撮影環境情報の撮影プロトコルのみ表示され、指定することができるので、操作者に過度の負担をかけずに済む。
【００３７】
［実施形態２］
次に実施形態２について説明する。
【００３８】
実施形態２に係わる放射線撮影システムを適用したＸ線撮影システムは図１に示す通り実施形態１と同様である。
【００３９】
図１０を用いて、図１に示すＸ線撮影制御部１１２において実施形態２を実現するための機能構成の一例について説明する。なお、実施形態１を説明した図２と同じ構成のものには、同じ符号を付している。優先表示プロトコル保持部１００１には、表示部２０８で置換先撮影プロトコルの候補を表示する際に、優先的に表示する撮影プロトコルの情報を保持している。優先表示プロトコル設定部１００２では、操作者が操作部１１４での操作を介して、優先表示するプロトコルを設定し、優先表示プロトコル保持部１００１へ反映させる。
【００４０】
実施形態２における撮影画面は、実施形態１での図３、図４、図５と同様である。
【００４１】
図１１、図１２は、実施形態２における置換先撮影プロトコル指定画面の一例を示している。図１１は未撮影の撮影プロトコルを置換する場合の置換先撮影プロトコル指定画面１１０１を示し、図１２は撮影済みの撮影プロトコルを置換する場合の置換先撮影プロトコル指定画面１２０１を示している。なお、図１１、図１２において、実施形態１を説明した図６、図７と同じ構成のものには、同じ符号を付している。
【００４２】
ここで、実施形態２に係わる処理の流れの一例について具体例を挙げる。
【００４３】
実施形態２に係わる検査開始から終了までの一連の流れは図８に示す通り実施形態１と同様である。
【００４４】
次に図１３を用いて、図８のステップＳ８０４またはＳ８０７において未撮影の撮影プロトコルを置換する処理の流れを説明する。実施形態２ではステップＳ８０４またはＳ８０７において行われる処理を図１３に示す。なお、図１３において、実施形態１を説明した図９と同じ構成のものには、同じ符号を付しており、未撮影の撮影プロトコルを置換する処理の流れも、ステップＳ９０５以外実施形態１を説明した図９と同様である。ステップＳ１３０１において、表示部２０８は抽出部２０７により抽出された撮影プロトコルを表示部１１３を介して表示する。具体的には表示部１１３に未撮影の置換先撮影プロトコル指定画面１１０１を表示し、さらに置換先撮影プロトコル候補表示領域６０６に抽出部２０７により抽出された撮影プロトコルを表示する。このとき、例えば検査開始前に操作者が操作部１１４の操作を介して、撮影部位が頭蓋の撮影プロトコルを優先表示する撮影プロトコルとして優先表示プロトコル設定部１００２で設定し、設定内容が優先表示プロトコル保持部１００１に保持されていたとする。表示部２０８は優先表示プロトコル保持部１００１に保持されている優先表示撮影プロトコルを優先的に表示するよう制御する。一例として図１１に示すように、操作者にとって選択しやすいよう置換先撮影プロトコル候補表示領域６０６の上部に、優先表示プロトコル設定部１００２で設定した撮影部位が頭蓋の撮影プロトコルを表示している。ところでステップＳ９０１において入力された置換元撮影プロトコルは３１２であり、その撮影環境情報は３１４に示されるように「センサＡ、Ｓｔａｎｄ」である。一方図１１の１１０２は撮影環境情報が「センサＢ、Ｓｔａｎｄ」の撮影プロトコルボタンであり、１１０３は撮影環境情報が「センサＡ、Ｔａｂｌｅ」の撮影プロトコルボタンである。このことからステップＳ９０３において抽出部２０７で抽出された置換先撮影プロトコルの候補が、置換元撮影プロトコル３１２の撮影環境情報「センサＡ、Ｓｔａｎｄ」に関係なくプロトコル情報保持部２１２に保持されている全ての撮影プロトコルであることを示している。未撮影の撮影プロトコルを置換する処理の流れは、ステップＳ９０５がステップＳ１３０１に置き換わった以外実施形態１を説明した図９と同様であるため、実施形態２では未撮影の撮影プロトコルを置換することができる。
【００４５】
続いて同じく図１３を用いて、図８のステップＳ８０４またはＳ８０７において撮影済みの撮影プロトコルを置換する処理の流れを説明する。実施形態２ではステップＳ８０４またはＳ８０７において行われる処理を図１３に示す。なお、図１３において、実施形態１を説明した図９と同じ構成のものには、同じ符号を付しており、撮影済みの撮影プロトコルを置換する処理の流れも、ステップＳ９０５以外実施形態１を説明した図９と同様である。ステップＳ１３０１において、表示部２０８は抽出部２０７により抽出された撮影プロトコルを表示部１１３を介して表示する。具体的には表示部１１３に撮影済みの置換先撮影プロトコル指定画面１２０１を表示し、さらに置換先撮影プロトコル候補表示領域６０６に抽出部２０７により抽出された撮影プロトコルを表示する。このとき、例えば検査開始前に操作者が操作部１１４の操作を介して、撮影部位が頭蓋の撮影プロトコルを優先表示する撮影プロトコルとして優先表示プロトコル設定部１００２で設定し、設定内容が優先表示プロトコル保持部１００１に保持されていたとする。表示部２０８は優先表示プロトコル保持部１００１に保持されている優先表示撮影プロトコルを優先的に表示するよう制御する。一例として図１２に示すように、操作者にとって選択しやすいよう置換先撮影プロトコル候補表示領域６０６の上部に、優先表示プロトコル設定部１００２で設定した撮影部位が頭蓋の撮影プロトコルを表示している。ところでステップＳ９０１において入力された置換元撮影プロトコルは３１５であり、その撮影環境情報は３１６に示されるように「センサＡ、Ｓｔａｎｄ」である。１２０２に示すように置換先撮影プロトコル候補表示領域６０６に表示されている撮影プロトコルの撮影環境情報は全て「センサＡ、Ｓｔａｎｄ」である。このことから置換元撮影プロトコル３１５と同じ撮影環境情報「センサＡ、Ｓｔａｎｄ」の撮影プロトコルのみ、ステップＳ９０４において抽出部２０７で置換先撮影プロトコルの候補として抽出されたことを示している。撮影済みの撮影プロトコルを置換する処理の流れは、ステップＳ９０５がステップＳ１３０１に置き換わった以外実施形態１を説明した図９と同様であるため、実施形態２では撮影済みの撮影プロトコルを置換することができる。
【００４６】
以上説明したように実施形態２によれば、検査オーダに基づく撮影の実行時に誤った撮影プロトコルを別の撮影プロトコルへ置換したい場合でも、容易に対処することができる。さらに特定の撮影プロトコルの中から置換先を指定したい操作者にとって、優先表示設定した撮影プロトコルが優先的に表示されるため、置換先の指定が容易になる。また、撮影済みの撮影プロトコルを置換したい場合は、置換可能な撮影プロトコルが置換元の撮影プロトコルと同じ撮影環境情報に限定されるが、置換先撮影プロトコルの候補として同じ撮影環境情報の撮影プロトコルのみ表示され、指定することができるので、操作者に過度の負担をかけずに済む。
【００４７】
［実施形態３］
次に実施形態３について説明する。
【００４８】
実施形態３に係わる放射線撮影システムを適用したＸ線撮影システムは図１に示す通り実施形態１と同様である。
【００４９】
図１４を用いて、図１に示すＸ線撮影制御部１１２において実施形態３を実現するための機能構成の一例について説明する。なお、実施形態１を説明した図２と同じ構成のものには、同じ符号を付している。プロトコル情報保持部２１２に保持されている撮影プロトコルそれぞれには、特定の置換先撮影プロトコルが対応付けられており、特定置換先プロトコル設定部１４０１では、操作者が操作部１１４での操作を介して、撮影プロトコルそれぞれの特定置換先撮影プロトコルを設定し、プロトコル情報保持部２１２に反映させる。但し撮影画像はセンサの種類によって画像サイズや画像処理方法が異なるため、特定置換先プロトコル設定部１４０１で設定可能な特定置換先撮影プロトコルは、置換元となる撮影プロトコルと同一の撮影環境情報が関連付けられている撮影プロトコルに限られる。
【００５０】
図１５、図１６は、実施形態３における撮影画面の一例を示している。図１５は撮影プロトコル置換前の画面１５０１を示し、図１６は撮影プロトコル置換後の画面１６０１を示している。なお、図１５、図１６において、実施形態１を説明した図３と同じ構成のものには、同じ符号を付している。
【００５１】
ここで、実施形態３に係わる処理の流れの一例について具体例を挙げる。
【００５２】
実施形態３に係わる検査開始から終了までの一連の流れは図８に示す通り実施形態１と同様である。
【００５３】
次に図１７を用いて、図８のステップＳ８０４またはＳ８０７において撮影プロトコルを置換する処理の流れを説明する。検査オーダに含まれる撮影プロトコル置換する必要があるとする。例えばステップＳ８０６（Ｓ８０３）において、撮影時の何らかの事情により撮影部位が「胸部Ａ→Ｐ」である撮影プロトコル１５０２を撮影部位「胸部Ｒ→Ｌ」の撮影プロトコルへ変更する必要あると操作者が判断した場合、ステップＳ８０７（Ｓ８０４）へ進んで撮影プロトコルの置換操作を行う。ステップＳ８０７（Ｓ８０４）内の具体的な処理の流れを図１７に示す。ステップＳ１７０１において、操作者は操作部１１４の操作を介して、撮影プロトコル１５０２を置換元撮影プロトコルとして指定する。このとき表示部１１３には撮影プロトコルの置換を行うか操作者に承認を求める表示を行なってもよい。操作者は操作部１１４の操作を介して承認を指示すると置換元プロトコル入力部２０５に撮影プロトコル１５０２の情報が入力される。また、承認を求める表示を行うかどうかをＸ線撮影制御部で設定できるようにしてもよい。承認を求める表示を行わない設定にした場合は置換元撮影プロトコルを指定次第置換元プロトコル入力部２０５に撮影プロトコル１５０２の情報が入力される。なお、図１５では撮影プロトコル１５０２が撮影済みとして示されているが、未撮影であってもよい。ステップＳ１７０２において、置換先プロトコル入力部２０６は置換元プロトコル入力部２０５の入力情報を受けて、プロトコル情報保持部２１２から置換先撮影プロトコルに対応付けられている特定置換先撮影プロトコルを取得する。ここでは、検査開始前に操作者が操作部１１４の操作を介して、撮影部位「胸部Ａ→Ｐ」の撮影プロトコルの特定置換先として撮影部位「胸部Ｒ→Ｌ」の撮影プロトコルが設定され、設定内容がプロトコル情報保持部２１２に保持されている。これにより置換先プロトコル入力部２０６に撮影部位「胸部Ｒ→Ｌ」の撮影プロトコルが入力される。プロトコル置換部２０９は置換元プロトコル入力部２０５と置換先プロトコル入力部２０６から置換元と置換先の撮影プロトコルの情報を受け取る。さらにプロトコル置換部２０９は、検査情報取得部２０３を介して検査情報保持部２０１より検査情報を取得する。プロトコル置換部２０９は、取得した検査情報に含まれる撮影プロトコルにおいて、置換元撮影プロトコルを置換先撮影プロトコルに置換する。その後プロトコル置換部２０９は検査情報更新部２０４を介して検査情報保持部２０１に保持されている検査情報を更新する。なお、置換元撮影プロトコルが未撮影で撮影準備状態にあった場合、プロトコル置換部２０９は置換先撮影プロトコルの情報を撮影制御部２１０へ渡し、撮影制御部２１０は受け取った置換先撮影プロトコルの情報に基づき撮影準備制御を行う。置換元撮影プロトコルが撮影済みであった場合、プロトコル置換部２０９は置換先撮影プロトコルの情報を画像処理部２１１へ渡し、画像処理部２１１は置換元撮影プロトコルで撮影された画像（画像処理前の画像）に対し、置換先撮影プロトコルに対応付けられている画像処理パラメータを用いて画像処理を再実行する。次に表示部１１３は検査画面１６０１へ表示を切り替える。置換元撮影プロトコル１５０２は図１６の１６０２に示すように、特定置換先として対応付けられた撮影部位「胸部Ｒ→Ｌ」の撮影プロトコルに置換されている。さらに図１６に示すように置換した撮影プロトコルが撮影済みである場合、プレビュー画像表示領域３０３とサムネイル表示領域１６０３に、画像処理部２１１にて画像処理を再実行された撮影画像を表示する。
【００５４】
以上説明したように実施形態３によれば、検査オーダに基づく撮影の実行時に撮影プロトコルを別の特定の撮影プロトコルへ置換したい場合でも、容易に対処することができる。また、予め置換先が決まっているため、操作者が置換先を探し出して指定する手間を省くことができるため、操作者の負担を減らすことができる。
【００５５】
［実施形態４］
次に実施形態４について説明する。実施形態４は、主に検診におけるじん肺画像の撮影及び診断を行う上での運用を想定している。
【００５６】
実施形態４に係わる放射線撮影システムを適用したＸ線撮影システムは図１に示す通り実施形態１と同様である。
【００５７】
図１８は、図１に示すＸ線撮影制御部１１２において実施形態３を実現するための機能構成の一例である。実施形態１を説明した図２と同じ構成のものには、同じ符号を付している。
【００５８】
図１９、図２０は、実施形態４における撮影画面の一例を示している。図１９は撮影部位が胸部正面の撮影プロトコルでの撮影済みの検査画面１９０１を示し、図２０はじん肺用撮影プロトコルでの撮影済みの検査画面２００１を示している。なお、図１９、図２０において、実施形態１を説明した図３と同じ構成のものには、同じ符号を付している。
【００５９】
ここで、実施形態４に係わる処理の流れの一例について具体例を挙げる。
【００６０】
実施形態４に係わる検査開始から終了までの一連の流れは図８に示す通り実施形態１と同様である。
【００６１】
次に図２１を用いて、図８のステップＳ８０４またはＳ８０７において、撮影部位が胸部正面の撮影プロトコルを置換する処理の流れを説明する。検査オーダに含まれる撮影プロトコル置換する必要があるとする。例えばステップＳ８０６（Ｓ８０３）において、表示部１１３に表示されている検査画面１９０１の胸部正面の撮影画像に対して、操作者がじん肺の疑いがあると判断したとする。１９０２に示すように撮影プロトコルは胸部正面用であるので、操作者はじん肺用画像処理を撮影画像に適用する必要がある。胸部正面の撮影プロトコル１９０２をじん肺用撮影プロトコルに置換するため、ステップＳ８０７（Ｓ８０４）へ進んで撮影プロトコルの置換操作を行う。ステップＳ８０７（Ｓ８０４）内の具体的な処理の流れを図２１に示す。ステップＳ２１０１において、操作者は操作部１１４の操作を介して、撮影プロトコル１９０２を置換元撮影プロトコルとして指定する。このとき表示部１１３には撮影プロトコルの置換を行うか操作者に承認を求める表示を行なってもよい。操作者は操作部１１４の操作を介して承認を指示すると置換元プロトコル入力部２０５に撮影プロトコル１９０２の情報が入力される。また、承認を求める表示を行うかどうかをＸ線撮影制御部で設定できるようにしてもよい。承認を求める表示を行わない設定にした場合は置換元撮影プロトコルを指定次第置換元プロトコル入力部２０５に撮影プロトコル１９０２の情報が入力される。なお、図１９では撮影プロトコル１９０２が撮影済みとして示されているが、未撮影であってもよい。ステップＳ２１０２において、置換先プロトコル入力部２０６は置換元プロトコル入力部２０５の入力情報を受けて、置換元撮影プロトコルの情報を判断する。置換元撮影プロトコルの撮影部位が胸部正面であるので、ステップＳ２１０３へ進む。ステップＳ２１０３において、置換元撮影プロトコル１９０２と同一の撮影環境情報（この例ではセンサＡ、Ｓｔａｎｄ）であるじん肺用撮影プロトコルが、置換先プロトコル入力部２０６に入力される。プロトコル置換部２０９は置換元プロトコル入力部２０５と置換先プロトコル入力部２０６から置換元と置換先の撮影プロトコルの情報を受け取る。さらにプロトコル置換部２０９は、検査情報取得部２０３を介して検査情報保持部２０１より検査情報を取得する。プロトコル置換部２０９は、取得した検査情報に含まれる撮影プロトコルにおいて、置換元撮影プロトコルを置換先撮影プロトコルに置換する。その後プロトコル置換部２０９は検査情報更新部２０４を介して検査情報保持部２０１に保持されている検査情報を更新する。なお、置換元撮影プロトコルが未撮影で撮影準備状態にあった場合、プロトコル置換部２０９は置換先撮影プロトコルの情報を撮影制御部２１０へ渡し、撮影制御部２１０は受け取った置換先撮影プロトコルの情報に基づき撮影準備制御を行う。置換元撮影プロトコルが撮影済みであった場合、プロトコル置換部２０９は置換先撮影プロトコルの情報を画像処理部２１１へ渡し、画像処理部２１１は置換元撮影プロトコルで撮影された画像（画像処理前の画像）に対し、置換先撮影プロトコルに対応付けられている画像処理パラメータを用いて画像処理を再実行する。次に表示部１１３は検査画面２００１へ表示を切り替える。置換元撮影プロトコル１９０２は図２０の２００２に示すように、じん肺用撮影プロトコルに置換されている。さらに図２０に示すように置換した撮影プロトコルが撮影済みである場合、プレビュー画像表示領域３０３とサムネイル表示領域２００３に、画像処理部２１１にて画像処理を再実行された撮影画像を表示する。
【００６２】
次に図２１を用いて、図８のステップＳ８０４またはＳ８０７において、じん肺用撮影プロトコルを置換する処理の流れを説明する。検査オーダに含まれる撮影プロトコル置換する必要があるとする。例えばステップＳ８０６（Ｓ８０３）において、表示部１１３に表示されている検査画面２００１の撮影画像から、操作者がじん肺ではないと判断したとする。２００２に示すように撮影プロトコルはじん肺用であるので、操作者は通常の胸部正面用画像処理を撮影画像に適用する必要がある。じん肺用撮影プロトコル２００２を撮影部位が胸部正面の撮影プロトコルに置換するため、ステップＳ８０７（Ｓ８０４）へ進んで撮影プロトコルの置換操作を行う。ステップＳ８０７（Ｓ８０４）内の具体的な処理の流れを図２１に示す。ステップＳ２１０１において、操作者は操作部１１４の操作を介して、撮影プロトコル２００２を置換元撮影プロトコルとして指定する。このとき表示部１１３には撮影プロトコルの置換を行うか操作者に承認を求める表示を行なってもよい。操作者は操作部１１４の操作を介して承認を指示すると置換元プロトコル入力部２０５に撮影プロトコル２００２の情報が入力される。また、承認を求める表示を行うかどうかをＸ線撮影制御部で設定できるようにしてもよい。承認を求める表示を行わない設定にした場合は置換元撮影プロトコルを指定次第置換元プロトコル入力部２０５に撮影プロトコル２００２の情報が入力される。なお、図２０では撮影プロトコル２００２が撮影済みとして示されているが、未撮影であってもよい。ステップＳ２１０２において、置換先プロトコル入力部２０６は置換元プロトコル入力部２０５の入力情報を受けて、置換元撮影プロトコルの情報を判断する。置換元撮影プロトコルはじん肺用であるので、ステップＳ２１０４へ進む。ステップＳ２１０４において、置換元撮影プロトコル２００２と同一の撮影環境情報（この例ではセンサＡ、Ｓｔａｎｄ）である撮影部位が胸部正面の撮影プロトコルが、置換先プロトコル入力部２０６に入力される。プロトコル置換部２０９は置換元プロトコル入力部２０５と置換先プロトコル入力部２０６から置換元と置換先の撮影プロトコルの情報を受け取る。さらにプロトコル置換部２０９は、検査情報取得部２０３を介して検査情報保持部２０１より検査情報を取得する。プロトコル置換部２０９は、取得した検査情報に含まれる撮影プロトコルにおいて、置換元撮影プロトコルを置換先撮影プロトコルに置換する。その後プロトコル置換部２０９は検査情報更新部２０４を介して検査情報保持部２０１に保持されている検査情報を更新する。なお、置換元撮影プロトコルが未撮影で撮影準備状態にあった場合、プロトコル置換部２０９は置換先撮影プロトコルの情報を撮影制御部２１０へ渡し、撮影制御部２１０は受け取った置換先撮影プロトコルの情報に基づき撮影準備制御を行う。置換元撮影プロトコルが撮影済みであった場合、プロトコル置換部２０９は置換先撮影プロトコルの情報を画像処理部２１１へ渡し、画像処理部２１１は置換元撮影プロトコルで撮影された画像（画像処理前の画像）に対し、置換先撮影プロトコルに対応付けられている画像処理パラメータを用いて画像処理を再実行する。次に表示部１１３は検査画面１９０１へ表示を切り替える。置換元撮影プロトコル２００２は図２０の１９０２に示すように、撮影部位が胸部正面の撮影プロトコルに置換されている。さらに図１９に示すように置換した撮影プロトコルが撮影済みである場合、プレビュー画像表示領域３０３とサムネイル表示領域１９０３に、画像処理部２１１にて画像処理を再実行された撮影画像を表示する。
【００６３】
以上説明したように実施形態４によれば、検査オーダに基づく撮影の実行時に撮影部位が胸部正面の撮影プロトコルをじん肺用撮影プロトコルへ置換したい場合でも、容易に対処することができる。またその逆のじん肺用撮影プロトコルを撮影部位が胸部正面の撮影プロトコルへ置換したい場合も容易に対処することができ、検診におけるじん肺用画像診断を所望する操作者にとっての負担を軽減する。
【００６４】
［その他の実施形態］
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００６５】
１０１  Ｘ線撮影システム
１０２  ＲＩＳ端末
１０３  ＰＡＣＳ端末
１０４  ビューワー端末
１０５  プリンタ
１０６  通信手段
１０７  Ｘ線撮影装置
１０８  Ｘ線管球
１０９  センサユニット
１１０  センサ
１１１  Ｘ線発生制御部
１１２  Ｘ線撮影制御部
１１３  表示部
１１４  操作部
１１５  撮影部
２０１  検査情報保持部
２０２  検査情報管理部
２０３  検査情報取得部
２０４  検査情報更新部
２０５  置換元プロトコル入力部
２０６  置換先プロトコル入力部
２０７  抽出部
２０８  表示部
２０９  プロトコル置換部
２１０  撮影制御部
２１１  画像処理部
２１２  プロトコル情報保持部
３０１  撮影プロトコル置換前の検査画面
３０２  被検者情報表示領域
３０３  プレビュー画像表示領域
３０４  画像調整ボタン
３０５  検査終了ボタン
３０６  検査オーダ表示領域
３０７  撮影プロトコルボタン
３０８  サムネイル表示領域
３０９  名称表示領域
３１０  センサタイプ表示領域
３１１  センサ状態表示領域
３１２  置換前の未撮影の撮影プロトコル
３１３  撮影環境情報表示領域
３１４  置換前の未撮影の撮影プロトコルの撮影環境情報表示領域
３１５  置換前の撮影済みの撮影プロトコル
３１６  置換前の撮影済みの撮影プロトコルの撮影環境情報表示領域
４０１  未撮影の撮影プロトコル置換後の検査画面
４０２  置換後の未撮影の撮影プロトコル
５０１  撮影済みの撮影プロトコル置換後の検査画面
５０２  置換後の撮影済みの撮影プロトコル
５０３  置換後の撮影プロトコルのサムネイル表示領域
６０１  未撮影の置換先撮影プロトコル指定画面
６０２  置換元撮影プロトコル表示領域
６０３  置換先撮影プロトコル表示領域
６０４  取り止めボタン
６０５  確定ボタン
６０６  置換先撮影プロトコル候補表示領域
６０７  撮影プロトコルボタン
６０８  名称表示領域
６０９  撮影環境情報表示領域
６１０  撮影環境情報表示領域
６１１  撮影環境情報表示領域
６１２  置換元の撮影プロトコルボタン
６１３  置換先の撮影プロトコルボタン
７０１  撮影済みの置換先撮影プロトコル指定画面
７０２  置換元撮影プロトコルと同一の撮影環境情報を有する撮影プロトコルボタン
７０３  置換元の撮影プロトコルボタン
７０４  置換先の撮影プロトコルボタン
１００１  優先表示プロトコル保持部
１００２  優先表示プロトコル設定部
１１０１  未撮影の置換先撮影プロトコル指定画面
１１０２  撮影環境情報表示領域
１１０３  撮影環境情報表示領域
１２０１  撮影済みの置換先撮影プロトコル指定画面
１２０２  置換元撮影プロトコルと同一の撮影環境情報を有する撮影プロトコルボタン
１４０１  特定置換先プロトコル設定部
１５０１  撮影プロトコル置換前の検査画面
１５０２  置換前の撮影プロトコル
１６０１  撮影プロトコル置換後の検査画面
１６０２  置換後の撮影プロトコル
１６０３  置換後の撮影プロトコルのサムネイル表示領域
１９０１  検査画面
１９０２  置換対象の撮影プロトコル
１９０３  置換対象の撮影プロトコルのサムネイル表示領域
２００１  検査画面
２００２  置換対象の撮影プロトコル
２００３  置換対象の撮影プロトコルのサムネイル表示領域
【図１】
2013215273.tif 000003
【図２】
2013215273.tif 000004
【図３】
2013215273.tif 000005
【図４】
2013215273.tif 000006
【図５】
2013215273.tif 000007
【図６】
2013215273.tif 000008
【図７】
2013215273.tif 000009
【図８】
2013215273.tif 000010
【図９】
2013215273.tif 000011
【図１０】
2013215273.tif 000012
【図１１】
2013215273.tif 000013
【図１２】
2013215273.tif 000014
【図１３】
2013215273.tif 000015
【図１４】
2013215273.tif 000016
【図１５】
2013215273.tif 000017
【図１６】
2013215273.tif 000018
【図１７】
2013215273.tif 000019
【図１８】
2013215273.tif 000020
【図１９】
2013215273.tif 000021
【図２０】
2013215273.tif 000022
【図２１】
2013215273.tif 000023